(57)【要約】  【課題】強度が大きく且つ安全なフエンス扉を簡単に形成できるフエンス扉用枠を提供する。  【解決手段】フエンス扉用枠Ａは一対の枠体１、１を備え、この間にフエンス体６０を挟持して、フエンス扉Ｂを形成する。枠体１の一端側に蝶番３，３が装着され、反対側にカンヌキ４が設けられる。枠体１、１の所定の位置において、ボルト・ナット２により枠体１、１の間にフエンス体６０を挟んで、締結する。枠体１は、２つに分割され、伸縮ジョイント５により連結され、幅方向の長さが可変になっており、フエンス扉の幅を調整できる。【選択図】  図１
2007191964.tif 000002
【特許請求の範囲】
【請求項１】
フエンス体を挟持する一対の枠体と、
該フエンス体を挟持する一対の枠体を締結する締結具と、
該枠体の少なくとも幅方向に該枠体を伸縮させる伸縮機構と、
該枠体に設けられた蝶番と、
を備えたことを特徴とするフエンス扉用枠。
【請求項２】
前記枠体に装着された扉係止具を更に備えた、
請求項１のフエンス扉用枠。
【請求項３】
フエンス体と、
該フエンス体を、該フエンス体の少なくとも左右の端部を覆うように、フエンス体の表裏から挟持する一対の枠体と、
該フエンス体と一対の枠体とを一体的に締結する締結具と、
該枠体に設けられた蝶番と、
を備えたことを特徴とするフエンス扉。
【発明の詳細な説明】
【技術分野】
【０００１】
この発明は、フエンス扉を形成するためのフエンス扉用枠及びフエンス扉に関する。
【背景技術】
【０００２】
屋外に設置されるフエンスには必要に応じて開閉できるフエンス扉が設置される。
フエンス扉は開閉されるためにフエンス自体よりも強度が必要であり、通常はフエンス自体を補強したり、胴縁を補強したり、或いは補強材を追加したりすることによりフエンス扉を形成している。
【０００３】
【特許文献１】特開平１０−１１０５８２号
【発明の開示】
【発明が解決しようとする課題】
【０００４】
しかし、従来のフエンス扉はフエンス毎に扉を設計、製作する必要がある問題があった。また、フエンス扉にはノブやカンヌキなどを付ける必要もあり、これらの付属物もフエンス毎に製作する必要があった。
上記従来技術に鑑みて、本発明は、簡単にフエンス扉を形成できる枠体を提供することを目的とする。
【課題を解決するための手段】
【０００５】
この目的のために、本発明のフエンス扉用枠は、フエンス体を挟持する一対の枠体と、該フエンス体を挟持する一対の枠体を締結する締結具と、該枠体の少なくとも幅方向に該枠体を伸縮させる伸縮機構と、該枠体に設けられた蝶番と、を備えたことを特徴とする。
上記構成において、フエンス体を枠に挟持して締結するだけで、フエンス扉を形成することができる。また、一対の枠体で挟持する構成のため、強度も大きく、またフエンス体の端辺を枠体で覆うことが可能であり、安全である。また、伸縮機構により少なくとも幅方向の大きさ調整が可能であり、種々のサイズのフエンス体に対応することが可能である。
上記構成において、更に枠体に扉係止具を設けることも可能であり、カンヌキやドアノブなどを備えたフエンス扉を簡単に形成することが可能になる。
更に枠を用いたフエンス扉は、同様に高強度、製作容易などの効果があり、また一対の枠体により該フエンス体の少なくとも左右の端部を覆うようにフエンス体の表裏から挟持する構成としているため、フエンス体の端部を露出させることがなく、安全度が向上する効果がある。
【発明の効果】
【０００６】
本発明のフエンス扉用枠によれば、フエンス体を挟持するだけで、簡単にフエンス扉を製作することができる効果がある。
【発明を実施するための最良の形態】
【０００７】
以下本発明の実施の形態を図面に基づいて説明する。
図１と図３に示すように、このフエンス扉用枠Ａは一対の枠体１、１を備えている。そして、図２に示すように、枠体１、１の間に、線材を格子に組んだ線格子のフエンス体６０を挟持して、フエンス扉Ｂを形成するようになっている。
【０００８】
枠体１は、この実施形態では、４角形状をなし、一端側に蝶番３，３が装着され、支柱側の蝶番（図示せず）と係合して、扉全体が回動するようになっている。
蝶番３の反対側の縦桟にはカンヌキ４が設けられており、支柱側の受け（図示せず）と係合して、扉を係止するようになっている。
【０００９】
枠体１、１の所定の位置において、ボルト・ナット２により枠体１、１の間にフエンス体６０を挟んで、締結するようになっている。蝶番３とカンヌキ４においては、これらの固定とフエンス体６０の挟持を同じボルト・ナット２により行っている。
【００１０】
枠体１は、一体ではなく、上下の横桟に図３に示すように切断部１０が設けられ、２つに分割されている。この分割された枠体１を伸縮ジョイント５により連結する構造になっている。
【００１１】
図３と図４と図５に示すように、伸縮ジョイント５は断面コの字形をした板状をなし、所定箇所に長孔５０を形成してある。この実施形態では、４個の長孔５０を設けてある。そして、枠体１側にも４個の調節孔１１を形成してあり、該長孔５０と調節孔１１によりボルト・ナット２で伸縮ジョイント５と枠体１とを締結し、２分割された枠体１を一体の枠形状とするように構成されている。
この実施形態では２つの枠体１と伸縮ジョイント５及びフエンス体６０とをボルト・ナット２により一体的に締結するように構成されている。
【００１２】
この伸縮ジョイント５を使用することにより、枠体１の幅方向の長さを変えることが可能である。即ち、図５に示すように切断部１０、１０の間隔をあけて、調節孔１１の位置をずらして伸縮ジョイント５と締結することにより、枠体１の幅を大きくすることが可能である。
このように枠体１の幅を可変とすることにより、支柱の間隔に合わせて、フエンス扉の幅を調整できる効果がある。また、フエンス体６０の端部が枠体１からはみ出ないように調整でき、フエンス体６０の端部による怪我等の危険を防止できる効果がある。
【００１３】
なお、伸縮ジョイント５はこの実施形態では横桟に設けて、横方向の長さを可変としているが、伸縮ジョイント５を縦桟に設けて縦方向の長さを可変とすることも可能である。また縦横方向を可変とすることも可能である。
【００１４】
以上の構成のフエンス扉用枠Ａを用いれば、枠体１、１の間に任意のフエンス体６０を挟み、締結することにより簡単にフエンス扉Ｂを得ることができ、線格子フエンスのように扉を形成しにくいフエンス体であっても簡単にフエンス扉を製作することができる。
しかも、フエンス扉Ｂは、２つの枠体１、１を用いているため、強度が大きい。また、図６に示すようにフエンス体６０のフエンス端部６１を枠体１、１で挟み、外部に露出することがないから、安全である。
更に、伸縮ジョイント５により幅方向の伸縮が可能であるから、扉のサイズ変更に簡単に対応することができ、またフエンス体６０のフエンス端部６１を幅方向にはみ出す事がないように幅の調整も簡単に行うことが可能である。
【００１５】
図７に他の実施形態を示す。この例では、枠体１にノブ取付板１５を設け、ここにノブ機構１６を取り付けている。この構成により簡単にノブ付き扉を製作することができる。
図８は中間横桟１７を追加した例、図９は中間縦桟１８、８を追加した例を示す。
【図面の簡単な説明】
【００１６】
【図１】本発明のフエンス扉用枠の一実施形態を示す正面図。
【図２】本発明のフエンス扉の一実施形態を示す正面図。
【図３】本発明のフエンス扉用枠の一実施形態の平面図。
【図４】本発明の一実施形態の伸縮ジョイント５の拡大図。
【図５】本発明の一実施形態の伸縮ジョイント５の拡大図。
【図６】本発明のフエンス扉の一実施形態を示す側面部分拡大図。
【図７】本発明のフエンス扉用枠の他の実施形態を示す正面図。
【図８】本発明のフエンス扉用枠の他の実施形態を示す正面図。
【図９】本発明のフエンス扉用枠の他の実施形態を示す正面図。
【符号の説明】
【００１７】
１：枠体、２：ボルト・ナット、３：蝶番、４：カンヌキ、５：伸縮ジョイント、１０：切断部、１１：調節孔、１５：ノブ取付板、１６：ノブ機構、１７：中間横桟、１８：中間縦桟、５０：長孔５０、６０：フエンス体、６１：フエンス端部。
【図１】
2007191964.tif 000003
【図２】
2007191964.tif 000004
【図３】
2007191964.tif 000005
【図４】
2007191964.tif 000006
【図５】
2007191964.tif 000007
【図６】
2007191964.tif 000008
【図７】
2007191964.tif 000009
【図８】
2007191964.tif 000010
【図９】
2007191964.tif 000011